(57)【要約】      （修正有）【課題】開発用サーバと連動することにより容易にカスタマイズでき、またセキュリティを考慮した専用端末を提供することにより、開発コストやツール導入コストの削減を図る開発用サーバと連動する小型装着型コンピュータ装置を提供する。【解決手段】業務用専用端末として、手や腕に装着する小型装着型コンピュータ装置１であって、音声及び画像、バーコード等の入力手段を備え、手を使わないで情報を入力する。また、前記小型装着型コンピュータ装置はストラップ５の交換を可能とすることで、腕に装着することが困難な状況でも、体の各部位に取り付けられる特徴を有する。さらに、ＩＰネットワークを通じ連動して動作する開発用サーバによって、前記小型装着型コンピュータをカスタマイズし独自の機能を持った端末を構成する手段を有する。【選択図】図１
2018124949.tif 000002
【特許請求の範囲】
【請求項１】
手や腕に装着する小型装着型コンピュータ装置であって、
プログラムを実行するＣＰＵ部と、
装着者の声を集音するマイクロフォン部と、
プログラムの実行結果を画面に出力する表示部と、
無線ＩＣタグを読み取るリーダ部と、
景色の撮影又はバーコード情報の読み取りを行うカメラ部と、
ＩＰネットワークに接続する無線通信部と、を備え、
装着者が腕を前方に水平に上げ装着者側に内側に曲げると前記マイクロフォン部は装着者方向、
前記カメラ部は装着者の前方に向くことを特徴とし、
さらに前記マイクロフォン部と前記リーダ部と前記カメラ部により入力された情報により、装着者の手を使わず前記小型装着型コンピュータの操作を行うことが出来ることを特徴とする、
小型装着型コンピュータ装置。
【請求項２】
前記小型装着型コンピュータは、
取り付けるストラップを交換し、腕、首、足、胴回り等体の各部位に装着することが出来ることを特徴とする、
請求項１に記載の小型装着型コンピュータ装置。
【請求項３】
前記小型装着型コンピュータ装置と連動して動作するサーバをＩＰネットワーク上に備え、
前記サーバ上で動作するプログラムは、
前記小型装着型コンピュータ装置から送信されるコマンドを受信し、
前記コマンドに従って動作した結果を前記小型装着型コンピュータ装置に返信する手段及び機構を有し、
前記小型装着型コンピュータ装置は、
前記返信された結果を前記表示部に表示する事が出来る事を特徴とする、
請求項１又は２に記載の小型装着型コンピュータ装置。
【請求項４】
前記小型装着型コンピュータ装置と連動して動作する開発用サーバをＩＰネットワーク上に備え、
前記開発用サーバは、
前記小型装着型コンピュータ装置上で動作するアプリケーションソフトウェアを開発する為の開発ＳＤＫ部と、
前記小型装着型コンピュータ装置の識別情報を登録する事が出来るデータベース部と、
ＩＰネットワークを通じて小型装着型コンピュータとデータ通信が出来る通信部と、
前記小型装着型コンピュータ装置から送信される識別情報を照合し認証する認証部と、を有し、
前記小型装着型コンピュータ装置は、
手動または自動で前記開発用サーバと連動し、前記開発用サーバ上で開発されたアプリケーションソフトウェアを取り込む事が出来る機構を有する、
請求項１から３のいずれかに記載の小型装着型コンピュータ装置。
【請求項５】
前記開発ＳＤＫ部は、
ユーザ領域、サプライヤ領域及びパブリック領域と呼ばれるソフトウェア開発領域を有し、
アプリケーション開発者は、パブリック領域に配置される第三者の作成したアプリケーションと、前記サプライヤ領域に配置されるサプライヤの作成したフレームワークを、それぞれ前記ユーザ領域に取り込み、前記小型装着型コンピュータのソフトウェア開発をすることができる機構を有する、
請求項１から４のいずれかに記載の小型装着型コンピュータ装置。
【発明の詳細な説明】
【技術分野】
【０００１】  本発明は、開発用サーバと連動する、  小型装着型コンピュータ装置に関する。
【背景技術】
【０００２】  近年見られるスマートウォッチには、特許文献１に記載のようにＢｌｕｅｔｏｏｔｈ（登録商標）を介してスマートフォンと連動して動作するものが一般的であり、時計の代わりに装着することで、メールや電話のコールが入った場合にスマートフォンからの通知を行い、また、スマートウォッチ自体のセンサーから収集した装着者のヘルスチェック等のデータをスマートフォンに送りデータをサーバ等で管理することが可能である。  このように、スマートウォッチはスマートフォンの機能を補完する形での利用がされている。【０００３】  また、スマートフォンやタブレットは通常、洋服のポケットやバッグにしまって利用する時に取り出すところ、手間が生じたり、落下の危険性があったりするが、スマートウォッチを利用することにより、取り出す手間を省き、落下による破損や紛失が生じる危険性がなくなる。
【先行技術文献】
【特許文献】
【０００４】
【特許文献１】特開２０１６−９９３４７号公報
【発明の概要】
【発明が解決しようとする課題】
【０００５】  しかし、上述の通り、スマートウォッチは個人の生活に密着して利用される端末として作られているものであり、スマートウォッチ単独で通信を行い業務上利用するサーバ等のシステムと連動することを想定されていない。【０００６】  また、腕時計等のアクセサリにコンピュータの単機能を追加したのがベースとなっており、コンピュータの代わりとして利用する事は全く想定されていない。【０００７】  さらに、スマートフォンを特殊なアタッチメントを用い腕などに取り付け、コンピュータのように利用する例もあるが、業務用に利用するにはカメラの位置、マイク、スピーカーの位置などが電話として利用するのをベースに設計されているため、業務で利用するに適しておらず、またコモディティとして標準化されたデバイスを業務用に利用するにはセキュリティ上に大きな問題もある。【０００８】  本発明は、上記の課題を解決する為、小型装着型コンピュータ装置を提供することを目的とする。
【課題を解決しようとする手段】
【０００９】  上記の目的を達成するために、手や腕に装着する小型装着型コンピュータ装置であって、
プログラムを実行するＣＰＵ部と、装着者の声を集音するマイクロフォン部と、プログラムの実行結果を画面に出力する表示部と、無線ＩＣタグを読み取るリーダ部と、景色の撮影又はバーコード情報の読み取りを行うカメラ部と、ＩＰネットワークに接続する無線通信部と、を備え、装着者が腕を前方に水平に上げ装着者側に内側に曲げると前記マイクロフォン部は装着者方向、前記カメラ部は装着者の前方に向くことを特徴とし、さらに前記マイクロフォン部と前記リーダ部と前記カメラ部により入力された情報により、装着者の手を使わず前記小型装着型コンピュータの操作を行うことが出来ることを特徴とする。
【００１０】  前記小型装着型コンピュータは、取り付けるストラップを交換し、腕、首、足、胴回り等体の各部位に装着することが出来ることを特徴とする。
【００１１】  前記小型装着型コンピュータ装置と連動して動作するサーバをＩＰネットワーク上に備え、
前記サーバ上で動作するプログラムは、前記小型装着型コンピュータ装置から送信されるコマンドを受信し、前記コマンドに従って動作した結果を前記小型装着型コンピュータ装置に返信する手段及び機構を有し、前記小型装着型コンピュータ装置は、前記返信された結果を前記表示部に表示する事が出来る事を特徴とする。
【００１２】  前記小型装着型コンピュータ装置と連動して動作する開発用サーバをＩＰネットワーク上に備え、前記開発用サーバは、前記小型装着型コンピュータ装置上で動作するアプリケーションソフトウェアを開発する為の開発ＳＤＫ部と、前記小型装着型コンピュータ装置の識別情報を登録する事が出来るデータベース部と、ＩＰネットワークを通じて小型装着型コンピュータとデータ通信が出来る通信部と、前記小型装着型コンピュータ装置から送信される識別情報を照合し認証する認証部と、を有し、前記小型装着型コンピュータ装置は、手動または自動で前記開発用サーバと連動し、前記開発用サーバ上で開発されたアプリケーションソフトウェアを取り込む事が出来る機構を有する。
【００１３】  前記開発ＳＤＫ部は、ユーザ領域、サプライヤ領域及びパブリック領域と呼ばれるソフトウェア開発領域を有し、アプリケーション開発者は、パブリック領域に配置される第三者の作成したアプリケーションと、前記サプライヤ領域に配置されるサプライヤの作成したフレームワークを、それぞれ前記ユーザ領域に取り込み、前記小型装着型コンピュータのソフトウェア開発をすることができる機構を有する。
【発明の効果】
【００１４】  本発明によれば、ストラップが交換できる小型装着型コンピュータ装置により、腕に装着できない場合でも体の他の部位に装着でき、業務用途を考え設計された形状により、業務上でのオペレーションを適切に実施する事が可能となっている。また、開発用サーバと連動することにより企業が容易に本発明装置をカスタマイズし、独自の製品として、またセキュリティを考慮した専用端末として、ユーザに提供することができる。その結果、開発コストやツール導入コストの削減を図ることができる。
【図面の簡単な説明】
【００１５】
【図１】この発明の実施形態となる、小型装着型コンピュータ端末の全体図である。
【図２】この発明の実施形態である、小型装着型コンピュータ装置の後部と装着図である。
【図３】サーバと小型装着型コンピュータ装置の構成図である。
【図４】サーバ装置へのアクセスと小型装着型コンピュータ装置へのインストールまでのシーケンス図である。
【図５】サーバ装置の開発ＳＤＫ部の構成図である。
【図６】サーバ装置上でのソフトウェア構成の図である。
【発明を実施するための形態】
【００１６】  以下、本発明の実施形態について、図を参照しながら説明する。
【００１７】  図１は、本発明の小型装着型コンピュータ装置の全体図である。
小型装着型コンピュータ装置１は、上面に表示部２、側面に電源ボタン３、ＵＳＢコネクタ４、前面にマイクロフォン部６、スピーカー７、後部にカメラ部８、小型装着型コンピュータ装置１を腕に装着するためのストラップ５を備える。マイクロフォン部６とスピーカー７は、小型装着型コンピュータ装置１を腕に装着した際に、業務中に装着したまま通話しやすいよう前面に配置されている。表示部２は、通常ＬＣＤやＯＬＥＤのディスプレイで、タッチセンサーが内蔵してあり、小型装着型コンピュータ装置１からの入力及び出力のために用いる。ストラップ５は、ゴムやシリコン、布や革等の素材であり、腕の太さに合わせて調整可能となっている。また、ストラップ５は、小型装着型コンピュータ装置１から取り外すことが可能であり、太さや長さを変えることで、上腕や首、足首、腰などにも装着することができる。
【００１８】  また、表示部２は、３インチ〜３．５インチ程度のサイズのディスプレイを備え、通常１．３インチ程度のディスプレイを備えるスマートウォッチでは情報不足か又は見辛かった、作業手順を表示させることで作業中に手を塞がないで作業を続けられることができる。または、表示部２がタッチパネルであれば、ソフトウェアキーボードとして利用することで、例えば帳票の入力を行うことができるのも良い。
【００１９】  図２は、小型装着型コンピュータ装置１の後部からの図である。
カメラ部８は、撮影やバーコード等のリーダとしての能力を備える。小型装着型コンピュータ装置１を左手９に装着した際に、前方向に向けて撮影またはバーコード読み取りを行えるよう配置されている。これにより、最小限の動作で前方の撮影またはバーコード読み取りを行うことができる。
【００２０】  図３は、小型装着型コンピュータ装置１と連動する開発用サーバ１０２の内部構成の概略図である。
小型装着型コンピュータ装置１には、ＣＰＵ１２に接続されることで制御されており、それぞれ、入出力を行う表示部１０とバックライト１１、一時記憶を行うＲＡＭ１３、データを保持するＲＯＭ１４、リーダ部１６、無線通信部１７、カメラ部８、マイクロフォン部６、スピーカー７、ＵＳＢ部２０、電源部２２を備える。
【００２１】  リーダ部１６は、無線ＩＣリーダとタグ機能を有するユニットを備え、リーダとタグ機能はソフトウェア上で切り替え可能とするか、同時に利用可能とし、近接距離において無線ＩＣタグを読み取り、または対向の無線ＩＣリーダにタグ情報を提供する。これにより、無線ＩＣタグを持つ管理対象物から対象物の情報を読み取ることで、在庫管理、状態記録を行うことが可能である。または、無線ＩＣタグに予め装着者と分かる情報を記録しておくことで、例えば、ドアの入退室管理に無線ＩＣリーダを配置しておくことで、小型装着型コンピュータ装置１をセキュリティカードとして利用することが可能である。
【００２２】  また、前記無線ＩＣリーダから対象物の特定のタグ情報を読み取ることで、小型装着型コンピュータ装置１に備わるカメラ部１９が起動し撮影可能状態になるのも良い。他のタグ情報を読むことでカメラからバーコードリーダのみ読み取れるモードに切り替え可能としても良い。さらに、タグ情報のＩＰ情報やアドレスを読み取ることで、通信アプリケーションが起動し、無線通信部１７を通じて、マイクロフォン部６とスピーカー７でもって、他者との通話、機器との通信を取ることを可能とするのも良い。
【００２３】  さらに、例えば複数の手順書情報またはＵＲＬ等の場所情報をＩＣタグに書き込み用意し、前記無線ＩＣリーダからこれらを読み込ませることで、作業内容に合わせてこれらのＩＣタグを読み取り表示させるのも良い。
【００２４】  無線通信部１７は、無線ＬＡＮ、Ｂｌｕｅｔｏｏｔｈの機能を有するユニットを備える。無線通信部１７を介し、ヘッドセットやＷＥＢカメラとペアリング接続し、移動しながらの通話としても利用しても良いし、ＷＥＢカメラを会議室に設置し会議通話のように使っても良い。また、キーボード、マウスなどの機器を接続し、ミニコンピュータのように利用しても良いし、ＵＳＢコネクタ４から有線接続することで同様に周辺機器を接続しても良い。
【００２５】  カメラ部１９で撮影された映像またはバーコード情報は、ＲＯＭ１４に格納されているアプリケーションによって、無線通信部１７とＩＰネットワーク５１を介し、コマンド実行部４１のプログラム３４に送り込まれコマンドが実行される。コマンド実行された結果は、再び小型装着型コンピュータ１のＲＯＭ１４のアプリケーションに返され、結果が表示部２に出力される。また、カメラ部８は、近接センサーを備えて対象物を１５ｃｍ〜２０ｃｍ程度の範囲に近づけるとカメラ機能が起動するか、バーコードリーダとして起動する機能を有するのも良い。また、例えば特定のバーコードを複数用意し読み取ることで、ブラウザが起動し作業時の手順書が掲載したＵＲＬにジャンプし、表示部２に表示させることで作業者が作業内容によって手順書を変えて読むことができるのも良い。
【００２６】  マイクロフォン部６から、上述した通信アプリケーションなどによる通話、通信を行い、また、例えばボイスコマンドを認識するアプリケーションにて、ＩＰネットワーク５１を通じコマンド実行部４１に送り込まれ、プログラム３４によって特定の処理を行いその結果を返すのも良い。
【００２７】  ＲＯＭ１４には、ＯＳ、アプリケーション、アップグレード制御１５のプログラム等が保持されており、必要に応じて呼び出し小型装着型コンピュータ装置１上で実行することできる。
【００２８】  サーバ装置１０２の構成は、クライアントＰＣ５０または小型装着型コンピュータ１から受け取ったコマンドを実行するコマンド実行部４１、小型装着型コンピュータ１のソフトウェア開発を行う開発ＳＤＫ部４２、これらのサーバのデータを収納するデータベース４０を備える。サーバ装置１０２の構成は１台の機器で実現しても良いし、複数台の機器に役割を分担することで構成しても良い。
【００２９】  コマンド実行部４１は、通信部３０、認証部３１、制御部３３、プログラム３４を備え、クアライアントＰＣ５０及び小型装着型コンピュータ１とＩＰネットワーク５１を介し、密に通信をとり、受け取ったコマンドを実行し、結果をクライアントＰＣ５０または小型装着型コンピュータ１に表示をさせる。
【００３０】  通信部３０は、有線ＬＡＮまたは無線ＬＡＮであり、ＩＰネットワーク５１を介し小型装着型コンピュータ装置１と通信を行うが、データベース４０に登録されていない小型装着型コンピュータ装置１からアクセスがあった場合に、認証部３１にてアクセス拒否を行う。反対にデータベース４０に登録されている場合は認証部３１にてアクセス許可を行い、以降再度アクセスするたびに認証部３１はデータベース４０と照合を行う。認証部３１にてアクセス許可が出た場合に、上述した小型装着型コンピュータ装置１からのコマンドをプログラム３４で実行することができる。
【００３１】  認証部３１は、サーバ装置１０２へのアクセスがあった場合に、データベース４０にアクセス許可として登録されているかどうかを判定するプログラムを備える。また、レピュテーションの低いアクセス元のデータベース情報を定期的に取得するようスケジュールすることで、外敵からのアクセスを防ぐのも良い。
【００３２】  開発ＳＤＫ部４２は、制御部３３、通信部３０、認証部３１、データ領域３５で構成される。開発ＳＤＫ部４２はコマンド実行部４２と同一の機器としても良い。
【００３３】  図４は、小型装着型コンピュータ装置１にソフトウェアのインストールを実施するまでのシーケンス図である。
【００３４】  アプリケーション開発者１００は、サーバ装置１０２の提供元であるサプライヤ１０１に、自己の情報及びクライアントＰＣ等の情報と共にユーザ登録申請Ｓ１を送り、サプライヤ１０１は、開発ＳＤＫ部４２に対してユーザ登録Ｓ２を行い、アプリケーション開発者１００の利用者（開発者Ａ’）の登録を行う。そして、キー発行Ｓ３（アクセスキーＡ’’）を発行し、アプリケーション開発者１００の利用者（開発者Ａ’）にアクセスキー送信Ｓ４を行う。このアクセスキーＡ’’は、アプリケーション開発者Ａ’が利用するクライアントＰＣのＭＡＣアドレスまたはそれに代わるユニークな機器のＩＤによって紐づけられる。開発者Ａ’は開発ＳＤＫ部４２にアクセスキーＡ’’を利用し、開発ＳＤＫ部４２へのアクセスＳ５を行う。
【００３５】  開発者Ａ’は、ＰＣのブラウザを利用し、開発ＳＤＫ部４２へアクセスを行い、インストール対象となる小型装着型コンピュータ装置１を登録Ｓ６する。登録することによって、データベース４０にアクセス許可端末として登録が行われ、登録端末の一覧が表示される。そこで、登録端末の一覧から各小型装着型コンピュータ装置１の死活監視、ＯＳバージョン名、残バッテリーや寿命期間、稼働時間の履歴、起動しているアプリケーションの一覧表示などができると良い。
【００３６】  また、開発者Ａ’は、アプリケーションの開発作業Ｓ７を、開発ＳＤＫ部４２上にて、クライアントＰＣ経由で行うことが可能となる。これによると、サプライヤ１０１は通常であれば、開発にあたりＳＤＫのデータを端末と共に提供する必要があるところ、開発ＳＤＫ部１０１はＩＰネットワーク５１を介して提供されるため、ＳＤＫのデータを渡す手間なく開発環境を利用し開発作業を行うことができる。
【００３７】  開発者Ａ’は、開発作業Ｓ７で開発したアプリケーションや、サプライヤから提供されるフレームワークまたは他の共有可能なアプリケーションを組み合わせ、小型装着型コンピュータ装置１に必要とする機能及びアプリケーションを組み込んだソフトウェアをビルド実行Ｓ８することで生成することができる。
【００３８】  開発者Ａ’は、生成したソフトウェアの配信を行う、小型装着型コンピュータ装置１へ、配信スケジュール設定Ｓ１０を設定するため、一括または個別に配信端末の選択Ｓ１１を行う。そして、設定したスケジュールによって、ソフトウェアの配信Ｓ１２を行い、通信確認が取れている各小型装着型コンピュータ装置１へソフトウェアのインストールＳ１３のコマンドが送られる。コマンドは図３のアップグレード制御１５を呼び出すことで実行される。ソフトウェアのインストールが完了した場合、各小型装着型コンピュータ装置１からインストール完了通知Ｓ１４が開発ＳＤＫ部４２に返され、インストール完了端末がデータベース４０に登録され、登録端末の一覧がクライアントＰＣを通じて表示される。
【００３９】  図５は、データ領域３５でのプログラム構成の概念図を示している。
【００４０】  データ領域３５の構成は、例えばユーザ毎に作成可能なユーザ領域Ａ６０ａ、ユーザ領域Ｂ６０ｂ、共通で利用が可能なサプライヤ領域６１、パブリック領域６２を有する。ユーザ領域６０は、ユーザのみが読み書き可能であり、サプライヤ領域６１はユーザからは読み取りのみ可能であり、パブリック領域６０はすべてのユーザからは読み取り可能。開発者は、ユーザ領域６０のアプリケーションをパブリック領域６２にアップロードすることで、すべてのユーザから読み取り可能な状態にし、共有して使える機能を追加することができる。
【００４１】  ユーザ領域Ａ６０ａには、例えば図５のように、ＣｏｍｐａｎｙＡのユーザが開発したプログラムＡ１、プログラムＡ２、サプライヤ領域６１から取り込んだプログラムＳ１が格納されている。また、ユーザ領域Ｂ６０ｂには、例えば図５のように、ＣｏｍｐａｎｙＢのユーザが開発したプログラムＢ１、パブリック領域６２から取り込んだプログラムＡ２、プログラムＤ２が格納されている。
【００４２】  上例の場合、ユーザはプログラムＡ２をパブリック領域６２にコピーすることで、すべてのユーザがプログラムＡ２を利用可能としている。パブリック領域６２にコピーする場合、ユーザに利用許諾範囲を明記し利用者に表示できるインターフェースを提供するのも良い。
【００４３】  ユーザ領域６０は、各ユーザが複数パターンのプログラムセットを作成することができ、セット毎に名前をつけ、例えば、在庫管理端末用、ライン作業端末用、レストランオーダ端末用、輸送作業用、等としてセットを登録する。そうるすことで、ユーザはこのプログラムセットから選択を行い小型装着型コンピュータ装置１へインストールを行うだけで、簡単に特定の業務専用装置とすることが可能である。
【００４４】  図６は、開発ＳＤＫ部４２から任意のアプリケーション、フレームワークを取り込んでソフトウェアのセットアップを行う画面を示す。
【００４５】  ソフトウェア構成画面７０は、ＰＬＡＴＦＯＲＭ７１、ＯＳ７３、ＬＯＧＯ７３、ＡＮＩＭＥ７４、ＨＯＭＥ  ＡＰＰ７５、ＳＹＴＥＭ  ＡＰＰ７６、ＵＳＥＲ  ＡＰＰ７７、で構成されるがこれだけに限らず、ユーザが項目を追加することも可能である。各項目を選択することで、ソフトウェア構成を様々にカスタマイズすることができ、専用の端末用のソフトウェアを作ることができる。
【００４６】  ＰＬＡＴＦＯＲＭ７１は、小型装着型コンピュータ１のモデルが複数ある場合、モデル名を選択することで、モデルに合わせて対応するアプリケーション、フレームワークが選択できるようになる。
【００４７】  ＯＳ７２は、上記で選択したモデルで対応可能なオペレーティングシステムのバージョンを選択することができる。
【００４８】  ＬＯＧＯ７３は、例えば自社のロゴを登録することができる。その場合、小型装着型コンピュータ１を起動した際に自社のロゴが表示することができ、自社製品であることを示すことができる。または、常に画面の端などに自社のロゴを表示するようにしても良い。
【００４９】  ＡＮＩＭＥ７４は、例えば製品名を画像またはアニメーションとして登録することができる。その場合、小型装着型コンピュータ１を起動した際に製品名を画像またはアニメーションで表示することができる。または、常に画面の中に製品名のロゴを表示するようにしても良い。
【００５０】  ＨＯＭＥ  ＡＰＰ７５は、小型装着型コンピュータ１が起動した後に表示するホーム画面に何を表示するかを決定する。ユーザが自由に開発し、ＨＯＭＥ  ＡＰＰ７５として登録して利用することができる。例えばアプリケーションのＬａｕｎｃｈｅｒをホーム画面に設定した場合は、インストールされている様々なアプリケーションの中から選択するような画面がホームに表示される。また例えば、在庫管理に関するＬａｕｎｃｈｅｒを開発しホーム画面に設定した場合は、在庫管理に要する、バーコードリーダ、帳票入力、電卓アプリなどが起動できるアイコンを表示し、または待ち受け状態となり、業務中にいつでも起動できる状態とすることが可能。さらに、ＨＯＭＥ  ＡＰＰ７５以外は他のアプリケーションを起動しないよう制限を予め入れることができるのも良い。
【００５１】  ＳＹＳＴＥＭ  ＡＰＰ７６は、サプライヤ領域６１で配布されるフレームワークから選択する。フレームワークは、例えばバーコードリーダ、メディアプレーヤ、ハードウェアヘルスチェック、通知機能など、ユーザは自由に機能の追加を行うことができ、追加しない機能は動作させないようにすることができる。
【００５２】  ＵＳＥＲ  ＡＰＰ７７は、ユーザが開発したアプリケーション、またはパブリック領域６２から利用可能なアプリケーションを自己のユーザ領域６０に取り込んだアプリケーションから選択することができる。
【００５３】  上記のソフトウェア構成を行うことによって、ユーザは必要なアプリケーションを組み合わせて、小型装着型コンピュータ装置１にインストールするソフトウェアを構成することができる。ソフトウェア構成後は、図４のビルド実行Ｓ８により、専用端末のソフトウェアが生成される。専用端末のソフトウェアは、図４のソフトウェアの配信Ｓ１２により、各小型装着型コンピュータ装置１のＲＯＭ１５にインストールが行われ、既存のＯＳ、アプリケーションが上書きされることで、専用端末とすることができる。
【符号の説明】
【００５４】１：小型装着型コンピュータ装置
２：表示部
３：電源ボタン
４：ＵＳＢコネクタ
５：ストラップ
６：マイクロフォン部
７：スピーカー
８：カメラ部
１１：バックライト
１２：ＣＰＵ
１３：ＲＡＭ
１４：ＲＯＭ
１５：アップグレード制御
１６：リーダ部
１７：無線通信部
２０：ＵＳＢ部
２２：電源部
３０：通信部
３１：認証部
３３：制御部
３４：プログラム
３５：データ領域
４０：データベース
４１：コマンド実行部
４２：開発ＳＤＫ部
５０：クライアントＰＣ
５１：ＩＰネットワーク
６０：ユーザ領域
６０ａ：ユーザ領域Ａ
６０ｂ：ユーザ領域Ｂ
６１：サプライヤ領域
６２：パブリック領域
７０：ソフトウェア構成画面
７１：ＰＬＡＴＦＯＲＭ
７２：ＯＳ
７３：ＬＯＧＯ
７４：ＡＮＩＭＥ
７５：ＨＯＭＥ  ＡＰＰ
７６：ＳＹＳＴＥＭ  ＡＰＰ
７７：ＵＳＥＲ  ＡＰＰ
１００：アプリケーション開発者
１０１：サプライヤ
１０２：サーバ装置
Ｓ１：ユーザ登録申請
Ｓ２：ユーザ登録
Ｓ３：キー発行
Ｓ４：アクセスキー送信
Ｓ５：サーバへのアクセス
Ｓ６：端末登録
Ｓ７：開発作業
Ｓ８：ビルド実行
Ｓ９：生成完了通知
Ｓ１０：配信スケジュール設定
Ｓ１１：配信端末の選択
Ｓ１２：ソフトウェアの配信
Ｓ１３：インストール
Ｓ１４：インストール完了通知
【図１】
2018124949.tif 000003
【図２】
2018124949.tif 000004
【図３】
2018124949.tif 000005
【図４】
2018124949.tif 000006
【図５】
2018124949.tif 000007
【図６】
2018124949.tif 000008